(57)【要約】【課題】画像データをブロック単位に分割して符号化処理を行い、画像データの符号化処理を効率的に行うことが可能な画像処理装置を提供する。【解決手段】画像データを基に、文字、非文字を決定するための分離データを生成する分離データ生成部（１０２）と、画像データと分離データとを所定のブロック単位に分割する分割部（１０４）と、画像データと分離データとの符号化を所定のブロック単位に行うＪＰＥＧ符号器（１０６）、ＭＭＲ符号器（１０５）と、を有することを特徴とする。【選択図】図１
2008219302.tif 000002
【特許請求の範囲】
【請求項１】
画像データを基に、文字、非文字を決定するための分離データを生成する分離データ生成手段と、
前記画像データと前記分離データとをブロック単位に分割する分割手段と、
前記画像データと前記分離データとの符号化をブロック単位に行う符号化手段と、
を有することを特徴とする画像処理装置。
【請求項２】
前記符号化手段は、
ブロック単位毎に、初期化を行うことを特徴とする請求項１記載の画像処理装置。
【請求項３】
前記符号化手段は、
前記画像データには、非可逆圧縮を行い、
前記分離データには、可逆圧縮を行うことを特徴とする請求項１記載の画像処理装置。
【請求項４】
前記画像データと前記分離データとの復号化をブロック単位に行う復号化手段と、
復号化を行った画像データに対し、文字部、非文字部で異なった画像処理を行う画像処理手段と、
を有することを特徴とする請求項１記載の画像処理装置。
【請求項５】
前記画像処理手段は、
前記画像データに対応する分離データを基に、前記画像データに対し、文字部、非文字部で異なった画像処理を行うことを特徴とする請求項４記載の画像処理装置。
【請求項６】
前記復号化手段は、
ブロック単位毎に、初期化を行うことを特徴とする請求項４記載の画像処理装置。
【請求項７】
画像データを基に、文字、非文字を決定するための分離データを生成する分離データ生成工程と、
前記画像データと前記分離データとをブロック単位に分割する分割工程と、
前記画像データと前記分離データとの符号化をブロック単位に行う符号化工程と、
を画像処理装置が行うことを特徴とする画像処理方法。
【請求項８】
画像データを基に、文字、非文字を決定するための分離データを生成する分離データ生成処理と、
前記画像データと前記分離データとをブロック単位に分割する分割処理と、
前記画像データと前記分離データとの符号化をブロック単位に行う符号化処理と、
を画像処理装置に実行させることを特徴とする画像処理プログラム。
【発明の詳細な説明】
【技術分野】
【０００１】
本発明は、複写機、プリンタ等の画像処理装置に関し、特に、画像データを圧縮する画像処理装置、画像処理方法及び画像処理プログラムに関するものである。
【背景技術】
【０００２】
従来の画像処理装置は、入力画像データ毎に、符号化を行っていため、画像データの符号化処理が効率的に行われていなかったのが現状である。
【０００３】
このようなことから、画像データの符号化処理を効率的に行うための技術の開発が必要視されている。
【０００４】
なお、本発明より先に出願された技術文献として、入力される画像から、分離データ（文字非文字判定と、色情報）を生成し、分離データと、画像データと、を圧縮蓄積する。また、蓄積された分離データ、画像データを伸張し、画像データに対してエッジ検出手段によりエッジ検出を行い、そのエッジ情報と、伸張された分離データを基に伸張された画像データに対して、画像処理を行う技術について開示された文献がある（例えば、特許文献１参照）。
【０００５】
また、ＭＦＰ等の画像処理装置において、処理負荷の増加を抑えつつ、文字の判読性が良好な、さらには圧縮率と画質のスケーラビリティを備えた構造化画像データを生成する技術について開示された文献がある（例えば、特許文献２参照）。
【特許文献１】特開平９−１８６８６６号公報
【特許文献２】特開２００６−１５７３７１号公報
【発明の開示】
【発明が解決しようとする課題】
【０００６】
しかしながら、上記特許文献１、２には、画像データをブロック単位に分割して符号化処理を行う点については何ら記載もその必要性についても示唆されていない。
【０００７】
本発明は、上記事情に鑑みてなされたものであり、画像データをブロック単位に分割して符号化処理を行い、画像データの符号化処理を効率的に行うことが可能な画像処理装置、画像処理方法及び画像処理プログラムを提供することを目的とするものである。
【課題を解決するための手段】
【０００８】
かかる目的を達成するために、本発明は、以下の特徴を有することとする。
【０００９】
本発明にかかる画像処理装置は、
画像データを基に、文字、非文字を決定するための分離データを生成する分離データ生成手段と、
前記画像データと前記分離データとをブロック単位に分割する分割手段と、
前記画像データと前記分離データとの符号化をブロック単位に行う符号化手段と、
を有することを特徴とする。
【００１０】
また、本発明にかかる画像処理装置において、
前記符号化手段は、
ブロック単位毎に、初期化を行うことを特徴とする。
【００１１】
また、本発明にかかる画像処理装置において、
前記符号化手段は、
前記画像データには、非可逆圧縮を行い、
前記分離データには、可逆圧縮を行うことを特徴とする。
【００１２】
また、本発明にかかる画像処理装置は、
前記画像データと前記分離データとの復号化をブロック単位に行う復号化手段と、
復号化を行った画像データに対し、文字部、非文字部で異なった画像処理を行う画像処理手段と、
を有することを特徴とする。
【００１３】
また、本発明にかかる画像処理装置において、
前記画像処理手段は、
前記画像データに対応する分離データを基に、前記画像データに対し、文字部、非文字部で異なった画像処理を行うことを特徴とする。
【００１４】
また、本発明にかかる画像処理装置において、
前記復号化手段は、
ブロック単位毎に、初期化を行うことを特徴とする。
【００１５】
また、本発明にかかる画像処理方法は、
画像データを基に、文字、非文字を決定するための分離データを生成する分離データ生成工程と、
前記画像データと前記分離データとをブロック単位に分割する分割工程と、
前記画像データと前記分離データとの符号化をブロック単位に行う符号化工程と、
を画像処理装置が行うことを特徴とする。
【００１６】
また、本発明にかかる画像処理プログラムは、
画像データを基に、文字、非文字を決定するための分離データを生成する分離データ生成処理と、
前記画像データと前記分離データとをブロック単位に分割する分割処理と、
前記画像データと前記分離データとの符号化をブロック単位に行う符号化処理と、
を画像処理装置に実行させることを特徴とする。
【発明の効果】
【００１７】
本発明によれば、画像データの符号化処理を効率的に行うことが可能となる。
【発明を実施するための最良の形態】
【００１８】
＜画像処理装置の特徴＞
まず、図１を参照しながら、本実施形態の画像処理装置の特徴について説明する。
【００１９】
本実施形態における画像処理装置は、画像データを基に、文字、非文字を決定するための分離データを生成する分離データ生成手段（分離データ生成部：１０２に該当）と、画像データと分離データとをブロック単位に分割する分割手段（分割部：１０４に該当）と、画像データと分離データとの符号化をブロック単位に行う符号化手段（ＪＰＥＧ符号器：１０６、ＭＭＲ符号器：１０５に該当）と、を有することを特徴とする。これにより、画像データをブロック単位に分割して符号化することが可能となるため、符号化処理を効率的に行うことが可能となる。以下、添付図面を参照しながら、本実施形態の画像処理装置について詳細に説明する。
【００２０】
＜画像処理装置の構成＞
まず、図１を参照しながら、本実施形態の画像処理装置の構成について説明する。なお、図１は、本実施形態の画像処理装置の構成を示す図である。
【００２１】
本実施形態における画像処理装置は、画像読取装置として、スキャナ入力部（１０１）を有しており、スキャナ入力部（１０１）からＲＧＢ（各８bit）の入力画像データが読み込まれる。
【００２２】
なお、入力画像データとしては、図２（ａ）に示すような入力画像データ（２０１）が挙げられる。図２（ａ）に示す入力画像データ（２０１）は、『写真部』と、『文字部』と、から構成されており、黒の無彩文字で構成されている。スキャナ入力部（１０１）から読み込まれた入力画像データ（２０１）は、分離データ生成部（１０２）に入力される。
【００２３】
分離データ生成部（１０２）は、スキャナ入力部（１０１）から入力された入力画像データ（２０１）を基に、注目画素が『文字部』か『非文字部』かを特定するための分離データを生成する。
【００２４】
なお、分離データの生成方法としては、公知の技術が適用可能であり、例えば、特開平７−２４０８４２号公報に開示されている方法等が適用可能である。
【００２５】
なお、特開平７−２４０８４２号公報に開示されている技術では、入力画像に対し、特定の閾値から２値化処理を行い、入力画像を、黒画素、白画素に分類し、それぞれの画素に対し、３×３のパターンマッチング処理を行い、『文字部』、『非文字部』の判定結果を得るようにした技術について開示されている。
【００２６】
分離データ生成部（１０２）は、上述した分離データの生成方法を用いて、分離データを生成することになる。なお、分離データとしては、図２（ｂ）に示すような分離データ（２０２）が挙げられる。分離データ（２０２）は、各画素１bitで、１の画素は、黒で表示する。
【００２７】
分離データ生成部（１０２）は、出力結果として、ＲＧＢ画像データ（１画素は、ＲＧＢ各８bitから構成される２４bit）と、１画素１bit（１：文字部、０：非文字部）の分離データと、を出力する。
【００２８】
分離データ生成部（１０２）の出力結果は、バッファ（１０３）に記憶することになる。これにより、スキャナ入力部（１０１）から一定の速度で入力される入力画像データを、画像処理の遅延により、取りこぼしが発生しないようにすることが可能となる。
【００２９】
分割部（１０４）は、バッファ（１０３）に蓄積された画像データを分割ブロック単位で読み込み、分割ブロック単位の画像データを生成する。
【００３０】
分割部（１０４）において分割ブロック単位になった分離データは、ＭＭＲ（Modified Modified Read）符号器（１０５）に入力し、ＭＭＲ符号器（１０５）において可逆圧縮処理を行う。
【００３１】
なお、分離データに対する圧縮処理は、分離データを画像ではなく、情報として扱うため、可逆圧縮方式で行うことになる。なお、可逆圧縮方式としては、ハフマン、または、ランレングス符号化等が挙げられる。
【００３２】
また、文字色情報の有効値を文字領域にのみ存在するようにしているため、分離データに対し、ＭＭＲ符号化を行うことで、非常に高い圧縮率を得ることが可能となる。
【００３３】
これは、文字部以外は、分離データの値が全て０になるためである。
【００３４】
一方、分割部（１０４）において分割ブロック単位になったＲＧＢ画像データは、ＪＰＥＧ（Joint Photographic Expert Group）符号器（１０６）に入力し、ＪＰＥＧ符号器（１０６）において非可逆圧縮処理を行う。
【００３５】
なお、ＲＧＢ画像データに対する圧縮処理は、ノイズ等の情報を削除しても構わないので、非可逆圧縮方式で行うことで、より高い圧縮効率を得ることが可能となる。
【００３６】
ＪＰＥＧ符号器（１０６）において圧縮処理されたＲＧＢ画像データと、ＭＭＲ符号器（１０５）において圧縮処理された分離データと、は、調停回路（１０７）を介して、ＤＤＲ（Double Data Rate） Memory（１０８）に一時的に記憶される。
【００３７】
なお、長期的に蓄積する場合は、調停回路（１０７）を介して、ＨＤＤ（１０９）に蓄積する。
【００３８】
なお、ＲＧＢ画像データと、分離データと、は対応付けられて、ＤＤＲ Memory（１０８）またはＨＤＤ（１０９）に蓄積されることになる。
【００３９】
これにより、スキャナ入力部（１０１）から入力画像データを読み込み、その入力画像データを基に、分離データを生成する。そして、分離データと、ＲＧＢ画像データと、をそれぞれブロック単位毎に圧縮し、該圧縮したブロック単位毎の分離データと、ＲＧＢ画像データと、をＤＤＲ Memory（１０８）、または、ＨＤＤ（１０９）に対応付けて蓄積することになる。
【００４０】
＜ＲＧＢ画像データと、分離データと、の符号化・復号化のタイミング＞
次に、図３を参照しながら、ＲＧＢ画像データ（１画素は、ＲＧＢ各８bitから構成される２４bit）と、分離データ（１画素１bit）と、の符号化、復号化のタイミングについて説明する。なお、以下の説明では、ＲＧＢ画像データの符号化、復号化のタイミングについて説明するが、ＲＧＢ画像データに対応する分離データに対しても同様なタイミングで行うことになる。
【００４１】
まず、分割部（１０４）は、スキャナ入力部（１０１）から入力された入力画像データの最初のブロック単位に該当するＲＧＢ画像データ（分割ブロック）をバッファ（１０３）から読み込む（ステップＳ１）。
【００４２】
バッファ（１０３）から読み込まれた分割ブロックは、ＪＰＧＥ符号器（１０６）に入力し、ＪＰＥＧ符号器（１０６）において符号化される（ステップＳ２）。
【００４３】
ＪＰＥＧ符号器（１０６）において符号化された分割ブロックは、調停回路（１０７）を介して、ＤＤＲ Memory（１０８）に書き込まれる（ステップＳ３）。
【００４４】
ＤＤＲ Memory（１０８）への分割ブロックの書き込みが終了した後、ＣＰＵ（１１５）に対し、割り込みを発生し（ステップＳ４）、ＪＰＧＥ符号器（１０６）において符号化された分割ブロックが最後の分割ブロックか否かを判断する（ステップＳ５）。
【００４５】
ＪＰＧＥ符号器（１０６）において符号化された分割ブロックが最後の分割ブロックで無い場合は（ステップＳ５／Ｎｏ）、ＪＰＥＧの初期化を行い（ステップＳ６）、次の分割ブロックをバッファ（１０３）から読み込むことになる（ステップＳ７）。
【００４６】
また、ＪＰＧＥ符号器（１０６）において符号化された分割ブロックが最後の分割ブロックである場合は（ステップＳ５／Ｙｅｓ）、入力画像データの読み取りを終了することになる（ステップＳ８）。
【００４７】
一方、割り込みを受けたＣＵＰ（１１５）は、ＪＰＥＧ復号器（１１０）を起動する。
【００４８】
ＪＰＥＧ復号器（１１０）の起動がかかったと判断した場合に（ステップＳ１１／Ｙｅｓ）、調停回路（１０７）を介して、分割ブロック毎に符号化されたＲＧＢ画像データ（分割ブロック符号）をＤＤＲ Memory（１０８）から読み出し、該読み出した分割ブロック符号を調停回路（１０７）を介してＪＰＥＧ復号器（１１０）に入力する（ステップＳ１２）。
【００４９】
ＪＰＥＧ復号器（１１０）は、ＤＤＲ Memory（１０８）から読み出された分割ブロック符号を伸長し、画像処理部１（１１２）に転送する（ステップＳ１３）。
【００５０】
分割ブロック符号の伸長が終了した後（ステップＳ１４）、その伸長された分割ブロック符号が最後の分割ブロック符号か否かを判断し（ステップＳ１５）、最後の分割ブロック符号で無い場合は（ステップＳ１５／Ｎｏ）、ＪＰＥＧの初期化を行い（ステップＳ１７）、次の起動がかかるのを待つことになる（ステップＳ１１）。
【００５１】
また、最後の分割ブロック符号である場合は（ステップＳ１５／Ｙｅｓ）、ＪＰＥＧ復号の処理を終了することになる（ステップＳ１６）。
【００５２】
次に、図４を参照しながら、本実施形態の画像処理装置における画像データに対する符号化・復号化処理と、従来の画像処理装置における画像データに対する符号化・復号化処理と、について説明する。
【００５３】
従来の画像処理装置は、図４（ａ）に示すように、１つの画像データに対し、符号化処理を行っていた。そして、割り込みを発生させ、ＪＰＥＧ復号を起動させ、符号化データに対する復号化処理を行っていた。
【００５４】
このため、従来の画像処理装置では、画像データ単位で、符号化・復号化処理を行っていため、画像データの符号化・復号化処理が効率的に行われていなかった。
【００５５】
これに対し、本実施形態の画像処理装置は、図４（ｂ）に示すように、１つの画像データを、複数の分割ブロックに分割し（図４では、１０個）、その分割ブロック単位で符号化処理を行う。そして、分割ブロック単位の符号化処理毎に割り込みを発生させ、ＪＰＥＧ復号を起動させ、分割ブロック単位で復号化処理を行うことになる。
【００５６】
このため、本実施形態の画像処理装置は、画像データを分割ブロック単位に分割して符号化・復号化処理を行うことになるため、符号化・復号化処理を効率的に行うことが可能となる。
【００５７】
＜本実施形態の画像処理装置における印刷処理＞
次に、本実施形態の画像処理装置における印刷処理について説明する。なお、以下の説明では、プロッタ出力部（１１６）で印刷する場合について説明する。
【００５８】
ＤＤＲ Memory(１０８)、または、ＨＤＤ（１０９）に記憶されている、分離データと、ＲＧＢ画像データと、は、それぞれ、ＭＭＲ復号器（１１１）、ＪＰＥＧ復号器（１１０）により伸張されることになる。なお、分離データは、ＭＭＲ復号器（１１１）で伸張され、ＲＧＢ画像データは、ＪＰＥＧ復号器（１１０）で伸張されることになる。
【００５９】
ＪＰＥＧ復号器（１１０）において伸張されたＲＧＢ画像データ（ＲＧＢ、各８bit）と、ＭＭＲ復号器（１１１）において伸張された分離データ（文字・非文字判定結果：１bit）と、は、画像処理部１（１１２）に入力され、画像処理が行われる。
【００６０】
なお、画像処理部１（１１２）において行われる画像処理としては、『文字部』には、強調処理を行い、『絵柄部』には、滑らかな平滑化処理を行う等の処理が挙げられる。以下、図５、図６を参照しながら、画像処理ブロック１（１１２）で行う処理動作について説明する。
【００６１】
画像処理部１（１１２）は、ＲＧＢ画像データの注目画素に対応する分離データの文字・非文字判定結果を参照し、『文字部』と判定されている場合は、注目画素に対し、図５（ｂ）に示す強調フィルタ（５０２）による強調処理を行う。
【００６２】
例えば、ＲＧＢ画像データの注目画素に対応する分離データを基に、『文字部』であるという判定結果を得た場合には、図５（ｃ）に示すＲＧＢ画像データに対し、図５（ｂ）に示すような強調フィルタ（５０２）を用いて強調処理を行うことになる。
【００６３】
この図５（ｂ）に示す強調フィルタ（５０２）は、注目画素に対し、フィルタの３×３の行列の中央を注目画素に対応させて、各３×３画素の値を、対応するフィルタ係数の積を取って、加算し、以下の式（１）による値を得ることになる。
【００６４】
(−１×９０)＋(−１×１２８)＋（−１×９０）＋（−１×９０）＋（９×１２８）＋（−１×９０）＋（−１×９０）＋(−１×１２８)＋(−１×９０)＝３５６・・・（式１）
【００６５】
上記（式１）から得られた『３５６』を、図５（ｃ）に示すＲＧＢ画像データの注目画素値に置き換えることで、図５（ｄ）に示すような強調処理結果を得ることになる。
【００６６】
同様に、ＲＧＢ画像データの注目画素に対応する分離データが『非文字部』であるという判定結果を得た場合には、図５（ａ）に示すような平滑化フィルタ（５０１）を用いて平滑化処理を行うことになる。
【００６７】
なお、画像処理部１（１１２）の構成は、例えば、図６に示すような構成を構築することになる。
【００６８】
図６に示す画像処理部１（１１２）の構成は、図５（ｂ）に示す強調フィルタ（５０２）による処理を行う強調フィルタ処理部（５０２）と、図５（ａ）に示す平滑化フィルタ（５０１）による処理を行う平滑化フィルタ処理部（５０１）と、セレクタ（５０３）と、を有して構成し、分離データの文字・非文字判定結果に応じて、セレクタ（５０３）を切り替えて、ＲＧＢ画像データを、強調フィルタ処理部（５０２）または平滑化フィルタ処理部（５０１）に入力するように構成している。
【００６９】
なお、分離データの文字・非文字判定結果が、『文字部』の場合には、ＲＧＢ画像データを、強調フィルタ処理部（５０２）に入力し、分離データの文字・非文字判定結果が、『非文字部』の場合には、ＲＧＢ画像データを、平滑化フィルタ処理部（５０１）に入力することになる。
【００７０】
このように、画像処理部１（１１２）は、ＪＰＥＧ復号器（１１０）において伸張されたＲＧＢ画像データに対し、そのＲＧＢ画像データと対応する分離データの文字・非文字判定結果を基に、画素単位に、上述した強調フィルタ処理（５０２）と、平滑化フィルタ処理（５０１）と、をセレクタ（５０３）により切り替えて、全画素に対して画像処理を行うことになる。
【００７１】
これにより、ＲＧＢ画像データの文字部、非文字部のそれぞれに対し、強調処理、平滑化処理を行うことが可能となる。
【００７２】
なお、色変換部（１１３）は、上述した画像処理部１（１１２）において画像処理を行ったＲＧＢ画像データ（各８bit）をＣＭＹＫ画像データ（各８bit）に変換し、該変換したＣＭＹＫ画像データ（各８bit）を画像処理部２（１１４）に入力することになる。
【００７３】
なお、ＲＧＢ画像データから、ＣＭＹＫ画像データへの変換処理は、公知の技術が適用可能であり、例えば、各８bitのＲＧＢ画像データの組み合わせから、一意的にＣＭＹＫ画像データを決定できるようなテーブル表を利用して変換する方法などが挙げられる。
【００７４】
次に、画像処理部２（１１４）は、ＣＭＹＫ画像データ（各８bit）を２値化（各１bit化）する。
【００７５】
なお、２値化の方法としては、公知の技術が適用可能であり、例えば、所定の閾値（例えば、８bitで１２８）で、２値化する方法などが挙げられる。
【００７６】
画像処理部２（１１４）の出力結果は、調停回路（１０７）を介して、再び、ＤＤＲ Memory（１０８）に書き込まれる。
【００７７】
その後、再び、調停回路（１０７）を介して、プロッタ出力部（１１６）に送信され、ＬＤ（レーザーダイオード）の信号に変換され、記録媒体に印刷されることになる。
【００７８】
このように、本実施形態の画像処理装置は、画像データをブロック単位に分割し、ブロック単位で符号化処理を行うことで、画像データの符号化処理を効率的に行うことが可能となる。
【００７９】
また、分離データが、色情報を含め全て、画像の文字部のみに有効値を持っているため、分離データの圧縮効率において非常に高い性能を得ることが可能となる。
【００８０】
また、画像データは、非可逆圧縮しても、伸張後に所望の情報を得ることが可能であるため、画像データを非可逆圧縮することが可能となる。これにより、より高効率の画像データの圧縮を行うことが可能となる。
【００８１】
また、蓄積された符号データをブロック単位で復号化処理を行うことで、全ての画像データを復号化しなくても部分的に画像データを参照することが可能となる。
【００８２】
また、符号化データを、ブロック単位で復号化処理を行うことで、初期動作を速くすることが可能となる。
【００８３】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００８４】
例えば、上述した実施形態における画像処理装置における制御動作は、ハード構成ではなく、コンピュータプログラム等のソフトウェアにより実行することも可能であり、また、上記のプログラムは、光記録媒体、磁気記録媒体、光磁気記録媒体、または半導体等の記録媒体に記録し、その記録媒体から上記プログラムを、上述した画像処理装置に読み込ませることで、上述した制御動作を、画像処理装置において実行させることも可能である。また、所定のネットワークを介して接続されている外部機器から上記プログラムを上述した画像処理装置に読み込ませることで、上述した制御動作を、画像処理装置において実行させることも可能である。
【産業上の利用可能性】
【００８５】
本発明にかかる画像処理装置、画像処理方法及び画像処理プログラムは、画像データを圧縮する機器に適用可能である。
【図面の簡単な説明】
【００８６】
【図１】本実施形態の画像処理装置の構成を示す図である。
【図２】入力画像データ（２０１）と、分離データ（２０２）と、を説明するための図である。
【図３】本実施形態の画像処理装置における一連の処理動作を示すフローチャートである。
【図４】従来の画像処理装置における符号化・復号化処理（ａ）と、本実施形態の画像処理装置における符号化・復号化処理（ｂ）と、を説明するための図である。
【図５】画像処理部１（１１２）で行う処理動作を説明するための図である。
【図６】画像処理部１（１１２）の詳細構成を示す図である。
【符号の説明】
【００８７】
１０１    スキャナ入力部
１０２    分離データ生成部
１０３    バッファ
１０４    分離部
１０５    ＭＭＲ符号器
１０６    ＪＰＥＧ符号器
１０７    調停回路
１０８    ＤＤＲ Memory
１０９    ＨＤＤ
１１０    ＪＰＥＧ復号器
１１１    ＭＭＲ復号器
１１２    画像処理部１
１１３    色変換部
１１４    画像処理部２
１１５    ＣＰＵ
１１６    プロッタ出力部
１１７    スキャナ送信部
５０１    強調フィルタ処理部
５０２    平滑化フィルタ処理部
５０３    セレクタ
【図１】
2008219302.tif 000003
【図２】
2008219302.tif 000004
【図３】
2008219302.tif 000005
【図４】
2008219302.tif 000006
【図５】
2008219302.tif 000007
【図６】
2008219302.tif 000008